【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
画像処理装置およびサーバにネットワークを介して接続することが可能な中継装置であって、
前記中継装置は、プロセッサと、ネットワークインターフェースと、を備えており、
前記プロセッサは、
特定の情報を、前記ネットワークインターフェースを介して前記画像処理装置から受信する第１受信処理と、
受信した特定の情報に基づいて、第１処理と第２処理の何れかを選択する第１選択処理と、
ここで、前記第１処理は、前記画像処理装置が前記画像処理装置から出力される第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第１送信処理と、
前記第１選択処理が前記第２処理を選択した場合に、前記第２処理を前記画像処理装置に実行させるための第２指示情報を前記画像処理装置へ送信する第２送信処理と、
前記第１送信処理または前記第２送信処理を実行した後に、前記第１指示情報または前記第２指示情報に応じた前記第１画像データを受信する第２受信処理と、
前記第２受信処理で受信した前記第１画像データに対して特定の画像処理を実行し、第２画像データを生成する画像処理と、
前記特定の情報に基づいて、第３処理と第４処理の何かを選択する第２選択処理と、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２選択処理が前記第３処理を選択した場合に、前記第２画像データを前記サーバを経由して取得することを指示する第３指示情報を前記画像処理装置へ送信する第３送信処理と、
前記第１選択処理が前記第４処理を選択した場合に、前記第２画像データを前記サーバを経由せずに取得することを指示する第４指示情報を前記画像処理装置へ送信する第４送信処理と、
を実行することを特徴とする中継装置。
【請求項２】
前記特定の情報は、前記画像処理装置から出力される第１画像データに対して実行される複数種類の画像処理のうちから前記画像処理装置において選択された少なくとも１種類の画像処理である前記特定の画像処理を識別する第１情報を含むことを特徴とする請求項１に記載の中継装置。
【請求項３】
前記特定の情報は、前記画像処理装置に関する各種の情報を含んだ第２情報を含むことを特徴とする請求項２に記載の中継装置。
【請求項４】
画像処理装置およびサーバにネットワークを介して接続することが可能な中継装置であって、
前記中継装置は、プロセッサと、ネットワークインターフェースと、を備えており、
前記プロセッサは、
第１情報および第２情報を、前記ネットワークインターフェースを介して前記画像処理装置から受信する第１受信処理と、
ここで、前記第１情報は、前記画像処理装置から出力される第１画像データに対して実行される複数種類の画像処理のうちから前記画像処理装置において選択された少なくとも１種類の画像処理である特定の画像処理を識別する情報であり、
前記画像処理のうちの特定画像処理には、予め定められた特定地域が対応付けられており、
前記第２情報は、前記画像処理装置の設置地域を示す設置地域情報を含んだ情報であり、
受信した第１情報が示す画像処理が前記特定画像処理であり、かつ、受信した設置地域情報が示す設置地域が前記特定地域である場合に、第１処理を選択し、
受信した第１情報が示す画像処理が前記特定画像処理でない場合に第２処理を選択し、
受信した第１情報が示す画像処理が前記特定画像処理であり、かつ、受信した設置地域情報が示す設置地域が前記特定地域でない場合に前記第２処理を選択する第１選択処理と、
ここで、前記第１処理は、前記画像処理装置が前記第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第１送信処理と、
前記第１選択処理が前記第２処理を選択した場合に、前記第２処理を前記画像処理装置に実行させるための第２指示情報を前記画像処理装置へ送信する第２送信処理と、
前記第１送信処理または前記第２送信処理を実行した後に、前記第１指示情報または前記第２指示情報に応じた前記第１画像データを受信する第２受信処理と、
前記第２受信処理で受信した前記第１画像データに対して、前記第１情報によって識別される前記特定の画像処理を実行し、第２画像データを生成する画像処理と、
前記第２画像データを取得することを指示する第３指示情報を前記画像処理装置へ送信する第３送信処理と、
を実行することを特徴とする中継装置。
【請求項５】
前記画像処理装置は、
原稿をスキャンして画像データを生成するスキャン処理を実行可能なスキャン部と、
画像データを記憶する記憶部と、
を備えており、
前記第１選択処理は、
前記第１情報が示している前記特定の画像処理が、前記スキャン処理によって生成された第１画像データに対して実行される処理である場合には、前記第２処理を実行することを選択し、
前記第１情報が示している前記特定の画像処理が、前記記憶部に記憶されている第１画像データに対して実行される処理である場合には、前記第１処理を実行することを選択することを特徴とする請求項２または４に記載の中継装置。
【請求項６】
前記第１選択処理は、
前記第１情報が示している前記特定の画像処理が、第１画像データが示す画像を、他の画像データが示す画像と合成する画像処理である場合には、前記第１処理を実行することを選択し、
前記第１情報が示している前記特定の画像処理が、第１画像データが示す画像に含まれる文字を処理する画像処理である場合には、前記第２処理を実行することを選択することを特徴とする請求項２または４に記載の中継装置。
【請求項７】
前記第２情報は、前記画像処理装置が設置される地域を識別する情報を含んでおり、
前記第１選択処理は、
前記第２情報が示している地域が、予め定められた特定地域である場合には、前記第１処理を実行することを選択し、
前記第２情報が示している地域が、前記特定地域以外の地域である場合には、前記第２処理を実行することを選択することを特徴とする請求項３または４に記載の中継装置。
【請求項８】
前記ネットワークはインターネットであり、
前記中継装置と前記画像処理装置との間では、ＩＰプロトコルに準拠した方式で各種情報の通信を行い、
前記第２情報は前記ＩＰプロトコルに準拠した、送信元のグローバルＩＰアドレスを含んでおり、
前記第１選択処理は、
前記第２情報に含まれるグローバルＩＰアドレスが、前記特定地域に割り当てられたグローバルＩＰアドレスの範囲に含まれる場合に、前記第１処理を選択し、
前記第２情報に含まれるグローバルＩＰアドレスが、前記特定地域に割り当てられたグローバルＩＰアドレスの範囲に含まれない場合に、前記第２処理を選択することを特徴とする請求項７に記載の中継装置。
【請求項９】
前記第１選択処理は、
前記第２情報が、予め定められた特定時点を示している場合には、前記第１処理を選択し、
前記第２情報が、前記特定時点を示していない場合には、前記第２処理を選択することを特徴とする請求項３または４に記載の中継装置。
【請求項１０】
前記第２情報は、前記第１情報を送信した送信時刻を識別する情報を含んでおり、
ここで前記送信時刻は、前記画像処理装置が設置されている地域における時刻であり、
前記第１選択処理は、
前記第２情報が示している前記送信時刻が、予め定められた特定時間帯に含まれている場合には、前記第１処理を実行することを選択し、
前記第２情報が示している前記送信時刻が、前記特定時間帯に含まれていない場合には、前記第２処理を実行することを選択することを特徴とする請求項９に記載の中継装置。
【請求項１１】
前記第１選択処理は、
前記第１情報が示している前記特定の画像処理に、予め定められた特定日が対応付けられており、かつ、前記第２情報が、前記特定日を示している場合には、前記第１処理を選択し、
前記第１情報が示している前記特定の画像処理に、予め定められた特定日が対応付けられていない場合には、前記第２処理を選択し、
前記第１情報が示している前記特定の画像処理に、予め定められた特定日が対応付けられており、かつ、前記第２情報が、前記特定日を示していない場合には、前記第２処理を選択することを特徴とする請求項９に記載の中継装置。
【請求項１２】
前記プロセッサは、特定情報を、前記ネットワークインターフェースを介して前記画像処理装置から受信する第３受信処理をさらに実行し、
ここで、前記特定情報は、前記第２画像データを用いて前記画像処理装置で行う処理内容を示す情報であり、
前記第１選択処理は、
前記特定情報が示している処理内容が、前記第２画像データを用いた印刷処理である場合には、前記第２処理を実行することを選択し、
前記特定情報が示している処理内容が、前記第２画像データを用いた印刷処理の結果を確認するための印刷物を印刷する処理である場合には、前記第１処理を実行することを選択することを特徴とする請求項２または４に記載の中継装置。
【請求項１３】
前記プロセッサは、前記第１情報および前記第２情報のうち少なくとも何れかに基づいて、第３処理と第４処理の何かを選択する第２選択処理をさらに実行し、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２情報は、前記画像処理装置が設置される地域を識別する情報を含んでおり、
前記第２選択処理は、
前記第２情報が示している地域が、予め定められた特定地域である場合には、前記第３処理を実行することを選択し、
前記第２情報が示している地域が、前記特定地域以外の地域である場合には、前記第４処理を実行することを選択することを特徴とする請求項３、４、７、８の何れか１項に記載の中継装置。
【請求項１４】
前記プロセッサは、前記第１情報および前記第２情報のうち少なくとも何れかに基づいて、第３処理と第４処理の何かを選択する第２選択処理をさらに実行し、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２情報は、前記第１情報を送信した送信時刻を識別する情報を含んでおり、
ここで前記送信時刻は、前記画像処理装置が設置されている地域における時刻であり、
前記第２選択処理は、
前記第２情報が示している前記送信時刻が、予め定められた特定時間帯に含まれている場合には、前記第３処理を実行することを選択し、
前記第２情報が示している前記送信時刻が、前記特定時間帯に含まれていない場合には、前記第４処理を実行することを選択することを特徴とする請求項３、４、７、８の何れか１項に記載の中継装置。
【請求項１５】
前記プロセッサは、
前記第１処理を実行する場合に、前記サーバで前記第１画像データのサイズを縮小する縮小処理を実行するか否かを判断する判断処理と、
前記判断処理が前記縮小処理を実行すると判断した場合に、前記縮小処理の実行を前記サーバに対して指示する第５指示情報を、前記第１指示情報と対応付けて前記画像処理装置へ送信する第５送信処理と、
をさらに実行することを特徴とする請求項２〜１４の何れか１項に記載の中継装置。
【請求項１６】
前記画像処理装置は、
原稿をスキャンして画像データを生成するスキャン処理を実行可能なスキャン部と、
画像データを記憶する記憶部と、
を備えており、
前記判断処理は、
前記第１情報が示している前記特定の画像処理が、前記スキャン処理によって生成された第１画像データに対して実行される処理である場合には、前記縮小処理を実行しないことを判断し、
前記第１情報が示している前記特定の画像処理が、前記記憶部に記憶されている第１画像データに対して実行される処理である場合には、前記縮小処理を実行することを判断することを特徴とする請求項１５に記載の中継装置。
【請求項１７】
前記プロセッサは、
第３情報を、前記ネットワークインターフェースを介して前記画像処理装置から受信する第４受信処理と、
ここで、前記第３情報は、複数の第３画像データのうちから前記画像処理装置において選択された選択第３画像データであって、前記特定の画像処理によって前記第１画像データと合成される前記選択第３画像データを識別する情報であり、
前記第４受信処理で受信した前記第３情報によって識別される前記選択第３画像データを取得する取得処理と、
をさらに実行し、
前記第１選択処理は、
前記第１情報が示している前記特定の画像処理が、前記取得処理が取得した前記選択第３画像データと前記第１画像データとを合成する画像処理である場合には、前記第１処理を選択し、
前記第１情報が示している前記特定の画像処理が、前記取得処理が取得した前記選択第３画像データと前記第１画像データとを合成する画像処理とは異なる画像処理である場合には、前記第２処理を選択することを特徴とする請求項２〜１６の何れか１項に記載の中継装置。
【請求項１８】
前記第１指示情報および前記第２指示情報は、ＵＲＬ（Uniform Resource Locator）の記述方式によって記述されていることを特徴とする請求項１〜１７の何れか１項に記載の中継装置。
【請求項１９】
前記ネットワークはインターネットであり、
前記画像処理装置は、第１地域に配置されており、
前記中継装置は、前記第１地域とは異なる第２地域に設置されており、
前記プロセッサは、前記第１送信処理において、前記画像処理装置が前記第１地域に配置された前記サーバを経由して前記第１画像データを前記中継装置に送信する第１処理を、前記画像処理装置に実行させるための前記第１指示情報を、前記画像処理装置に送信する、
ことを特徴とする請求項１〜１８の何れか１項に記載の中継装置。
【請求項２０】
前記中継装置と前記サーバとは、仮想的な組織内ネットワークで接続されていることを特徴とする請求項１９に記載の中継装置。
【請求項２１】
前記中継装置は、第１装置および第２装置を含んでおり、
第１装置は、前記画像処理装置および前記第２装置と前記ネットワークを介して接続することが可能な装置であり、
前記第２装置は、前記サーバと前記ネットワークを介して接続することが可能な装置であり、
前記第１装置のプロセッサは、前記第１受信処理、前記第１選択処理、前記第１送信処理、前記第２送信処理、および前記第３送信処理、を実行し、
前記第２装置のプロセッサは、前記第２受信処理、および、前記画像処理を実行することを特徴とする請求項１〜２０の何れか１項に記載の中継装置。
【請求項２２】
前記第２装置と前記サーバとは、仮想的な組織内ネットワークで接続されていることを特徴とする請求項２１に記載の中継装置。
【請求項２３】
画像処理装置、中継装置およびサーバを備えた通信システムであって、
前記画像処理装置は、
第１画像データに対して実行される複数種類の画像処理のうちから選択された少なくとも１種類の画像処理である特定の画像処理の選択を受け付ける受付処理と、
特定の情報を前記中継装置へ送信する第１送信処理と、
を実行し、
前記中継装置は、
前記特定の情報を、前記画像処理装置から受信する第１受信処理と、
受信した特定の情報に基づいて、第１処理と第２処理の何れかを選択する第１選択処理と、
ここで、前記第１処理は、前記画像処理装置が前記第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第２送信処理と、
前記第１選択処理が前記第２処理を選択した場合に、前記第２処理を前記画像処理装置に実行させるための第２指示情報を前記画像処理装置へ送信する第３送信処理と、
を実行し、
前記画像処理装置は、
前記第１指示情報を前記中継装置から受信した場合に、前記第１画像データを前記サーバに送信する第４送信処理と、
前記第２指示情報を前記中継装置から受信した場合に、前記第１画像データを前記中継装置に送信する第５送信処理と、
をさらに実行し、
前記サーバは、前記第１画像データを前記画像処理装置から受信した場合に、受信した前記第１画像データを前記中継装置に送信する第６送信処理を実行し、
前記中継装置は、
前記第１送信処理または前記第２送信処理を実行した後に、前記第１指示情報または前記第２指示情報に応じた前記第１画像データを受信する第２受信処理と、
前記第２受信処理で受信した前記第１画像データに対して、前記特定の情報によって識別される前記特定の画像処理を実行し、第２画像データを生成する画像処理と、
前記特定の情報に基づいて、第３処理と第４処理の何かを選択する第２選択処理と、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２選択処理が前記第３処理を選択した場合に、前記第２画像データを前記サーバを経由して取得することを指示する第３指示情報を前記画像処理装置へ送信する第７送信処理と、
前記第１選択処理が前記第４処理を選択した場合に、前記第２画像データを前記サーバを経由せずに取得することを指示する第４指示情報を前記画像処理装置へ送信する第８送信処理と、
をさらに実行し、
前記画像処理装置は、
前記第３指示情報を前記中継装置から受信した場合に、前記第２画像データの要求情報を前記サーバに送信する第９送信処理と、
前記第４指示情報を前記中継装置から受信した場合に、前記第２画像データを前記中継装置から受信する第３受信処理と、
をさらに実行し、
前記サーバは、前記要求情報を前記画像処理装置から受信した場合に、前記第２画像データを前記中継装置から受信し、受信した前記第２画像データを前記画像処理装置に送信する第１０送信処理をさらに実行することを特徴とする通信システム。
【請求項２４】
前記特定の情報は、前記特定の画像処理を識別するための第１情報を含むことを特徴とする請求項２３に記載の通信システム。
【請求項２５】
前記特定の情報は、前記画像処理装置に関する各種の情報を含んだ第２情報を含むことを特徴とする請求項２３または２４に記載の通信システム。
【請求項２６】
中継装置およびサーバにネットワークを介して接続することが可能な画像処理装置であって、
前記画像処理装置は、プロセッサと、ネットワークインターフェースと、を備えており、
前記プロセッサは、
第１画像データに対して実行される複数種類の画像処理のうちから選択された少なくとも１種類の画像処理である特定の画像処理の選択を受け付ける受付処理と、
特定の情報を前記中継装置へ送信する第１送信処理と、
ここで、前記特定の情報は、第１処理と第２処理の何れかを前記中継装置に選択させるために用いられる情報であり、
前記第１処理は、前記画像処理装置が前記第１画像データを前記サーバを経由して前記中継装置へ送信することで、前記特定の情報によって識別される前記特定の画像処理を前記中継装置に実行させ、第２画像データを生成させる処理であり、
前記第２処理は、前記画像処理装置が前記第１画像データを前記サーバを経由せずに前記中継装置へ送信することで、前記特定の情報によって識別される前記特定の画像処理を前記中継装置に実行させ、前記第２画像データを生成させる処理であり、
前記第１処理を前記画像処理装置に実行させるための第１指示情報を前記中継装置から受信した場合に、前記第１画像データを前記サーバに送信する第２送信処理と、
前記第２処理を前記画像処理装置に実行させるための第２指示情報を前記中継装置から受信した場合に、前記第１画像データを前記中継装置に送信する第３送信処理と、
前記第２画像データを前記サーバを経由して取得することを指示する第３指示情報を前記中継装置から受信した場合に、前記第２画像データの要求情報を前記サーバに送信する第４送信処理と、
前記要求情報を送信した後に、前記第２画像データを前記サーバから受信する第１受信処理と、
前記第２画像データを前記サーバを経由せずに取得することを指示する第４指示情報を前記中継装置から受信した場合に、前記第２画像データを前記中継装置から受信する第２受信処理と、
を実行することを特徴とする画像処理装置。
【請求項２７】
前記特定の情報は、前記特定の画像処理を識別するための第１情報を含むことを特徴とする請求項２６に記載の画像処理装置。
【請求項２８】
前記特定の情報は、前記画像処理装置に関する各種の情報を含んだ第２情報を含むことを特徴とする請求項２６または２７に記載の画像処理装置。
【手続補正２】
【補正対象書類名】明細書
【補正対象項目名】００４５
【補正方法】変更
【補正の内容】
【００４５】
上記の中継装置を実現するための制御方法、コンピュータプログラム、及び、当該コンピュータプログラムを格納するコンピュータ読取可能記録媒体も、新規で有用である。
開示例を以下に列挙する。
［開示例１］
画像処理装置およびサーバにネットワークを介して接続することが可能な中継装置であって、
前記中継装置は、プロセッサと、ネットワークインターフェースと、を備えており、
前記プロセッサは、
第１情報および第２情報を、前記ネットワークインターフェースを介して前記画像処理装置から受信する第１受信処理と、
ここで、前記第１情報は、前記画像処理装置から出力される第１画像データに対して実行される複数種類の画像処理のうちから前記画像処理装置において選択された少なくとも１種類の画像処理である選択画像処理を識別する情報であり、
前記第２情報は、前記画像処理装置に関する各種の情報を含んだ情報であり、
受信した第１情報および受信した第２情報のうち少なくとも何れかに基づいて、第１処理と第２処理の何れかを選択する第１選択処理と、
ここで、前記第１処理は、前記画像処理装置が前記第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第１送信処理と、
前記第１選択処理が前記第２処理を選択した場合に、前記第２処理を前記画像処理装置に実行させるための第２指示情報を前記画像処理装置へ送信する第２送信処理と、
前記第１送信処理または前記第２送信処理を実行した後に、前記第１指示情報または前記第２指示情報に応じた前記第１画像データを受信する第２受信処理と、
前記第２受信処理で受信した前記第１画像データに対して、前記第１情報によって識別される前記選択画像処理を実行し、第２画像データを生成する画像処理と、
前記第１情報および前記第２情報のうち少なくとも何れかに基づいて、第３処理と第４処理の何かを選択する第２選択処理と、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２選択処理が前記第３処理を選択した場合に、前記第２画像データを前記サーバを経由して取得することを指示する第３指示情報を前記画像処理装置へ送信する第３送信処理と、
前記第１選択処理が前記第４処理を選択した場合に、前記第２画像データを前記サーバを経由せずに取得することを指示する第４指示情報を前記画像処理装置へ送信する第４送信処理と、
を実行することを特徴とする中継装置。
［開示例２］
画像処理装置およびサーバにネットワークを介して接続することが可能な中継装置であって、
前記中継装置は、プロセッサと、ネットワークインターフェースと、を備えており、
前記プロセッサは、
第１情報および第２情報を、前記ネットワークインターフェースを介して前記画像処理装置から受信する第１受信処理と、
ここで、前記第１情報は、前記画像処理装置から出力される第１画像データに対して実行される複数種類の画像処理のうちから前記画像処理装置において選択された少なくとも１種類の画像処理である選択画像処理を識別する情報であり、
前記画像処理のうちの特定画像処理には、予め定められた特定地域が対応付けられており、
前記第２情報は、前記画像処理装置の設置地域を示す設置地域情報を含んだ情報であり、
受信した第１情報が示す画像処理が前記特定画像処理であり、かつ、受信した設置地域情報が示す設置地域が前記特定地域である場合に、第１処理を選択し、
受信した第１情報が示す画像処理が前記特定画像処理でない場合に第２処理を選択し、
受信した第１情報が示す画像処理が前記特定画像処理であり、かつ、受信した設置地域情報が示す設置地域が前記特定地域でない場合に前記第２処理を選択する第１選択処理と、
ここで、前記第１処理は、前記画像処理装置が前記第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第１送信処理と、
前記第１選択処理が前記第２処理を選択した場合に、前記第２処理を前記画像処理装置に実行させるための第２指示情報を前記画像処理装置へ送信する第２送信処理と、
前記第１送信処理または前記第２送信処理を実行した後に、前記第１指示情報または前記第２指示情報に応じた前記第１画像データを受信する第２受信処理と、
前記第２受信処理で受信した前記第１画像データに対して、前記第１情報によって識別される前記選択画像処理を実行し、第２画像データを生成する画像処理と、
前記第２画像データを取得することを指示する第３指示情報を前記画像処理装置へ送信する第３送信処理と、
を実行することを特徴とする中継装置。
［開示例３］
前記画像処理装置は、
原稿をスキャンして画像データを生成するスキャン処理を実行可能なスキャン部と、
画像データを記憶する記憶部と、
を備えており、
前記第１選択処理は、
前記第１情報が示している前記選択画像処理が、前記スキャン処理によって生成された第１画像データに対して実行される処理である場合には、前記第２処理を実行することを選択し、
前記第１情報が示している前記選択画像処理が、前記記憶部に記憶されている第１画像データに対して実行される処理である場合には、前記第１処理を実行することを選択することを特徴とする開示例１または２に記載の中継装置。
［開示例４］
前記第１選択処理は、
前記第１情報が示している前記選択画像処理が、第１画像データが示す画像を、他の画像データが示す画像と合成する画像処理である場合には、前記第１処理を実行することを選択し、
前記第１情報が示している前記選択画像処理が、第１画像データが示す画像に含まれる文字を処理する画像処理である場合には、前記第２処理を実行することを選択することを特徴とする開示例１または２に記載の中継装置。
［開示例５］
前記第２情報は、前記画像処理装置が設置される地域を識別する情報を含んでおり、
前記第１選択処理は、
前記第２情報が示している地域が、予め定められた特定地域である場合には、前記第１処理を実行することを選択し、
前記第２情報が示している地域が、前記特定地域以外の地域である場合には、前記第２処理を実行することを選択することを特徴とする開示例１または２に記載の中継装置。
［開示例６］
前記ネットワークはインターネットであり、
前記中継装置と前記画像処理装置との間では、ＩＰプロトコルに準拠した方式で各種情報の通信を行い、
前記第２情報は前記ＩＰプロトコルに準拠した、送信元のグローバルＩＰアドレスを含んでおり、
前記第１選択処理は、
前記第２情報に含まれるグローバルＩＰアドレスが、前記特定地域に割り当てられたグローバルＩＰアドレスの範囲に含まれる場合に、前記第１処理を選択し、
前記第２情報に含まれるグローバルＩＰアドレスが、前記特定地域に割り当てられたグローバルＩＰアドレスの範囲に含まれない場合に、前記第２処理を選択することを特徴とする開示例５に記載の中継装置。
［開示例７］
前記第１選択処理は、
前記第２情報が、予め定められた特定時点を示している場合には、前記第１処理を選択し、
前記第２情報が、前記特定時点を示していない場合には、前記第２処理を選択することを特徴とする開示例１または２に記載の中継装置。
［開示例８］
前記第２情報は、前記第１情報を送信した送信時刻を識別する情報を含んでおり、
ここで前記送信時刻は、前記画像処理装置が設置されている地域における時刻であり、
前記第１選択処理は、
前記第２情報が示している前記送信時刻が、予め定められた特定時間帯に含まれている場合には、前記第１処理を実行することを選択し、
前記第２情報が示している前記送信時刻が、前記特定時間帯に含まれていない場合には、前記第２処理を実行することを選択することを特徴とする開示例７に記載の中継装置。
［開示例９］
前記第１選択処理は、
前記第１情報が示している前記選択画像処理に、予め定められた特定日が対応付けられており、かつ、前記第２情報が、前記特定日を示している場合には、前記第１処理を選択し、
前記第１情報が示している前記選択画像処理に、予め定められた特定日が対応付けられていない場合には、前記第２処理を選択し、
前記第１情報が示している前記選択画像処理に、予め定められた特定日が対応付けられており、かつ、前記第２情報が、前記特定日を示していない場合には、前記第２処理を選択することを特徴とする開示例７に記載の中継装置。
［開示例１０］
前記プロセッサは、特定情報を、前記ネットワークインターフェースを介して前記画像処理装置から受信する第３受信処理をさらに実行し、
ここで、前記特定情報は、前記第２画像データを用いて前記画像処理装置で行う処理内容を示す情報であり、
前記第１選択処理は、
前記特定情報が示している処理内容が、前記第２画像データを用いた印刷処理である場合には、前記第２処理を実行することを選択し、
前記特定情報が示している処理内容が、前記第２画像データを用いた印刷処理の結果を確認するための印刷物を印刷する処理である場合には、前記第１処理を実行することを選択することを特徴とする開示例１または２に記載の中継装置。
［開示例１１］
前記プロセッサは、前記第１情報および前記第２情報のうち少なくとも何れかに基づいて、第３処理と第４処理の何かを選択する第２選択処理をさらに実行し、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２情報は、前記画像処理装置が設置される地域を識別する情報を含んでおり、
前記第２選択処理は、
前記第２情報が示している地域が、予め定められた特定地域である場合には、前記第３処理を実行することを選択し、
前記第２情報が示している地域が、前記特定地域以外の地域である場合には、前記第４処理を実行することを選択することを特徴とする開示例１〜１０の何れか１項に記載の中継装置。
［開示例１２］
前記プロセッサは、前記第１情報および前記第２情報のうち少なくとも何れかに基づいて、第３処理と第４処理の何かを選択する第２選択処理をさらに実行し、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２情報は、前記第１情報を送信した送信時刻を識別する情報を含んでおり、
ここで前記送信時刻は、前記画像処理装置が設置されている地域における時刻であり、
前記第２選択処理は、
前記第２情報が示している前記送信時刻が、予め定められた特定時間帯に含まれている場合には、前記第３処理を実行することを選択し、
前記第２情報が示している前記送信時刻が、前記特定時間帯に含まれていない場合には、前記第４処理を実行することを選択することを特徴とする開示例１〜１０の何れか１項に記載の中継装置。
［開示例１３］
前記プロセッサは、
前記第１処理を実行する場合に、前記サーバで前記第１画像データのサイズを縮小する縮小処理を実行するか否かを判断する判断処理と、
前記判断処理が前記縮小処理を実行すると判断した場合に、前記縮小処理の実行を前記サーバに対して指示する第５指示情報を、前記第１指示情報と対応付けて前記画像処理装置へ送信する第５送信処理と、
をさらに実行することを特徴とする開示例１〜１２の何れか１項に記載の中継装置。
［開示例１４］
前記画像処理装置は、
原稿をスキャンして画像データを生成するスキャン処理を実行可能なスキャン部と、
画像データを記憶する記憶部と、
を備えており、
前記判断処理は、
前記第１情報が示している前記選択画像処理が、前記スキャン処理によって生成された第１画像データに対して実行される処理である場合には、前記縮小処理を実行しないことを判断し、
前記第１情報が示している前記選択画像処理が、前記記憶部に記憶されている第１画像データに対して実行される処理である場合には、前記縮小処理を実行することを判断することを特徴とする開示例１３に記載の中継装置。
［開示例１５］
前記プロセッサは、
第３情報を、前記ネットワークインターフェースを介して前記画像処理装置から受信する第４受信処理と、
ここで、前記第３情報は、複数の第３画像データのうちから前記画像処理装置において選択された選択第３画像データであって、前記選択画像処理によって前記第１画像データと合成される前記選択第３画像データを識別する情報であり、
前記第４受信処理で受信した前記第３情報によって識別される前記選択第３画像データを取得する取得処理と、
をさらに実行し、
前記第１選択処理は、
前記第１情報が示している前記選択画像処理が、前記取得処理が取得した前記選択第３画像データと前記第１画像データとを合成する画像処理である場合には、前記第１処理を選択し、
前記第１情報が示している前記選択画像処理が、前記取得処理が取得した前記選択第３画像データと前記第１画像データとを合成する画像処理とは異なる画像処理である場合には、前記第２処理を選択することを特徴とする開示例１〜１４の何れか１項に記載の中継装置。
［開示例１６］
前記第１指示情報および前記第２指示情報は、ＵＲＬ（Uniform Resource Locator）の記述方式によって記述されていることを特徴とする開示例１〜１５の何れか１項に記載の中継装置。
［開示例１７］
前記ネットワークはインターネットであり、
前記画像処理装置は、第１地域に配置されており、
前記中継装置は、前記第１地域とは異なる第２地域に設置されており、
前記プロセッサは、前記第１送信処理において、前記画像処理装置が前記第１地域に配置された前記サーバを経由して前記第１画像データを前記中継装置に送信する第１処理を、前記画像処理装置に実行させるための前記第１指示情報を、前記画像処理装置に送信する、
ことを特徴とする開示例１〜１６の何れか１項に記載の中継装置。
［開示例１８］
前記中継装置と前記サーバとは、仮想的な組織内ネットワークで接続されていることを特徴とする開示例１７に記載の中継装置。
［開示例１９］
前記中継装置は、第１装置および第２装置を含んでおり、
第１装置は、前記画像処理装置および前記第２装置と前記ネットワークを介して接続することが可能な装置であり、
前記第２装置は、前記サーバと前記ネットワークを介して接続することが可能な装置であり、
前記第１装置のプロセッサは、前記第１受信処理、前記第１選択処理、前記第１送信処理、前記第２送信処理、および前記第３送信処理、を実行し、
前記第２装置のプロセッサは、前記第２受信処理、および、前記画像処理を実行することを特徴とする開示例１〜１８の何れか１項に記載の中継装置。
［開示例２０］
前記第２装置と前記サーバとは、仮想的な組織内ネットワークで接続されていることを特徴とする開示例１９に記載の中継装置。
［開示例２１］
画像処理装置、中継装置およびサーバを備えた通信システムであって、
前記画像処理装置は、
第１画像データに対して実行される複数種類の画像処理のうちから選択された少なくとも１種類の画像処理である選択画像処理の選択を受け付ける受付処理と、
前記選択画像処理を識別するための第１情報と、前記画像処理装置に関する各種の情報を含んだ第２情報と、を前記中継装置へ送信する第１送信処理と、
を実行し、
前記中継装置は、
前記第１情報および前記第２情報を、前記画像処理装置から受信する第１受信処理と、
受信した第１情報および受信した第２情報のうち少なくとも何れかに基づいて、第１処理と第２処理の何れかを選択する第１選択処理と、
ここで、前記第１処理は、前記画像処理装置が前記第１画像データを前記サーバを経由して前記中継装置へ送信する処理であり、
前記第２処理は、前記画像処理装置が前記第１画像データを前記サーバを経由せずに前記中継装置へ送信する処理であり、
前記第１選択処理が前記第１処理を選択した場合に、前記第１処理を前記画像処理装置に実行させるための第１指示情報を前記画像処理装置へ送信する第２送信処理と、
前記第１選択処理が前記第２処理を選択した場合に、前記第２処理を前記画像処理装置に実行させるための第２指示情報を前記画像処理装置へ送信する第３送信処理と、
を実行し、
前記画像処理装置は、
前記第１指示情報を前記中継装置から受信した場合に、前記第１画像データを前記サーバに送信する第４送信処理と、
前記第２指示情報を前記中継装置から受信した場合に、前記第１画像データを前記中継装置に送信する第５送信処理と、
をさらに実行し、
前記サーバは、前記第１画像データを前記画像処理装置から受信した場合に、受信した前記第１画像データを前記中継装置に送信する第６送信処理を実行し、
前記中継装置は、
前記第１送信処理または前記第２送信処理を実行した後に、前記第１指示情報または前記第２指示情報に応じた前記第１画像データを受信する第２受信処理と、
前記第２受信処理で受信した前記第１画像データに対して、前記第１情報によって識別される前記選択画像処理を実行し、第２画像データを生成する画像処理と、
前記第１情報および前記第２情報のうち少なくとも何れかに基づいて、第３処理と第４処理の何かを選択する第２選択処理と、
ここで、前記第３処理は、前記中継装置が前記第２画像データを前記サーバを経由して前記画像処理装置へ送信する処理であり、
前記第４処理は、前記中継装置が前記第２画像データを前記サーバを経由せずに前記画像処理装置へ送信する処理であり、
前記第２選択処理が前記第３処理を選択した場合に、前記第２画像データを前記サーバを経由して取得することを指示する第３指示情報を前記画像処理装置へ送信する第７送信処理と、
前記第１選択処理が前記第４処理を選択した場合に、前記第２画像データを前記サーバを経由せずに取得することを指示する第４指示情報を前記画像処理装置へ送信する第８送信処理と、
をさらに実行し、
前記画像処理装置は、
前記第３指示情報を前記中継装置から受信した場合に、前記第２画像データの要求情報を前記サーバに送信する第９送信処理と、
前記第４指示情報を前記中継装置から受信した場合に、前記第２画像データを前記中継装置から受信する第３受信処理と、
をさらに実行し、
前記サーバは、前記要求情報を前記画像処理装置から受信した場合に、前記第２画像データを前記中継装置から受信し、受信した前記第２画像データを前記画像処理装置に送信する第１０送信処理をさらに実行することを特徴とする通信システム。
［開示例２２］
中継装置およびサーバにネットワークを介して接続することが可能な画像処理装置であって、
前記画像処理装置は、プロセッサと、ネットワークインターフェースと、を備えており、
前記プロセッサは、
第１画像データに対して実行される複数種類の画像処理のうちから選択された少なくとも１種類の画像処理である選択画像処理の選択を受け付ける受付処理と、
前記選択画像処理を識別するための第１情報と、前記画像処理装置に関する各種の情報を含んだ第２情報と、を前記中継装置へ送信する第１送信処理と、
ここで、前記第１情報および前記第２情報は、第１処理と第２処理の何れかを前記中継装置に選択させるために用いられる情報であり、
前記第１処理は、前記画像処理装置が前記第１画像データを前記サーバを経由して前記中継装置へ送信することで、前記第１情報によって識別される前記選択画像処理を前記中継装置に実行させ、第２画像データを生成させる処理であり、
前記第２処理は、前記画像処理装置が前記第１画像データを前記サーバを経由せずに前記中継装置へ送信することで、前記第１情報によって識別される前記選択画像処理を前記中継装置に実行させ、前記第２画像データを生成させる処理であり、
前記第１処理を前記画像処理装置に実行させるための第１指示情報を前記中継装置から受信した場合に、前記第１画像データを前記サーバに送信する第２送信処理と、
前記第２処理を前記画像処理装置に実行させるための第２指示情報を前記中継装置から受信した場合に、前記第１画像データを前記中継装置に送信する第３送信処理と、
前記第２画像データを前記サーバを経由して取得することを指示する第３指示情報を前記中継装置から受信した場合に、前記第２画像データの要求情報を前記サーバに送信する第４送信処理と、
前記要求情報を送信した後に、前記第２画像データを前記サーバから受信する第１受信処理と、
前記第２画像データを前記サーバを経由せずに取得することを指示する第４指示情報を前記中継装置から受信した場合に、前記第２画像データを前記中継装置から受信する第２受信処理と、
を実行することを特徴とする画像処理装置。
【手続補正３】
【補正対象書類名】明細書
【補正対象項目名】００５４
【補正方法】変更
【補正の内容】
【００５４】
Ａアプリケーション２８１は、多機能機１０から出力された出力画像データが示す出力画像Ｐ１と、コンテンツサーバ１００から出力された第１テンプレート画像データが示す、Ａアプリケーション用の第１テンプレート画像Ｔ１と、を合成する画像処理を実行するためのアプリケーションである。Ａアプリケーション２８１は、具体的には、図１２に示すように、出力画像Ｐ１を示す出力画像データから、出力画像内の特徴部Ｆ１を示す画像データを抽出し、抽出した画像データと、第１テンプレート画像Ｔ１を示す第１テンプレート画像データとを画像処理することで、合成画像Ｃ１を示す合成画像データを生成する。合成画像Ｃ１は、第１テンプレート画像Ｔ１に含まれている特定領域Ｒ１（例：透過領域）に、出力画像Ｐ１の特徴部Ｆ１が合成された画像である。また、合成画像Ｃ１は、ハガキサイズの画像である。なお、Ａアプリケーション２８１は、コンテンツサーバ１００に記憶されている複数の第１テンプレート画像データのうち、多機能機１０のユーザによって指定された第１テンプレート画像データを用いて画像処理を実行する。Ａアプリケーション２８１で行われる画像処理では、必要とされる出力画像の数は、１つである。すなわち、必要とされる出力画像データの数は、１つである。また、Ａアプリケーション２８１は、多機能機１０が原稿をスキャンすることで得た画像データと、多機能機１０に装着されたメディアに記憶された画像データと、のいずれも出力画像データとして採用可能である。なお、アプリケーションＡ〜Ｄが、いずれの画像データを出力画像データとして採用可能かを示す情報は、仲介サーバ６０のメモリ７４に記憶されている。
【手続補正４】
【補正対象書類名】明細書
【補正対象項目名】００５５
【補正方法】変更
【補正の内容】
【００５５】
Ｂアプリケーション２８２は、多機能機１０から出力された出力画像データが示す出力画像と、コンテンツサーバ１００から出力された第２テンプレート画像データが示す、Ｂアプリケーション用の第２テンプレート画像と、を合成する画像処理を実行するためのアプリケーションである。Ｂアプリケーション２８２は、具体的には、図１３に示すように、出力画像Ｐ２を示す出力画像データと、第２テンプレート画像Ｔ２を示す第２テンプレート画像データとを画像処理することで、合成画像Ｃ２を示す合成画像データを生成する。合成画像Ｃ２は、第２テンプレート画像Ｔ２に含まれている１つ以上の数の特定領域Ｒ２（例：画像はめ込み箇所）の各々に、出力画像Ｐ２それぞれがはめ込まれるように合成された画像である。なお、Ｂアプリケーション２８２は、コンテンツサーバ１００に記憶されている複数の第２テンプレート画像データのうち、多機能機１０のユーザによって指定された第２テンプレート画像データを用いて画像処理を実行する。Ｂアプリケーション２８２で行われる画像処理では、必要とされる出力画像の数は、特定領域の数と一致する。またＢアプリケーション２８２には、特定日および特定地域が予め対応付けられている。特定日および特定地域は、後述するＳ２８２の第１選択処理で用いられる情報である。また、Ａアプリケーション２８１、Ｃアプリケーション２８３、および、Ｄアプリケーション２８４は、特定日および特定地域は対応付けられていない。なお、どのアプリケーションがどの特定日に対応付けられているかを示す情報は、仲介サーバ６０に記憶されていてもよい。Ｂアプリケーション２８２の具体例としては、年賀状作成アプリケーションが挙げられる。また本実施例の説明例では、特定日が「１１月〜翌１月」である場合を説明する。また特定地域が「日本」である場合を説明する。なお、Ｂアプリケーション２８２は、多機能機１０に装着されたメディアに記憶された画像データのみを出力画像データとして採用可能である。
【手続補正５】
【補正対象書類名】明細書
【補正対象項目名】００５６
【補正方法】変更
【補正の内容】
【００５６】
Ｃアプリケーション２８３は、多機能機１０から出力された出力画像データが示す出力画像と、コンテンツサーバ１００から出力された第３テンプレート画像データが示す、Ｃアプリケーション用の第３テンプレート画像Ｔ３と、を合成する画像処理を実行するためのアプリケーションである。Ｃアプリケーション２８３は、具体的には、図１４に示すように、出力画像Ｐ３を示す出力画像データと、第３テンプレート画像Ｔ３を示す第３テンプレート画像データとを画像処理することで、合成画像Ｃ３を示す合成画像データを生成する。合成画像Ｃ３は、多機能機１０から出力された出力画像Ｐ３の特定領域Ｒ３（例：黒塗りつぶし箇所）に、第３テンプレート画像がはめ込まれるように合成された画像である。なお、Ｃアプリケーション２８３は、コンテンツサーバ１００に記憶されている複数の第３テンプレート画像データのうち、多機能機１０のユーザによって指定された第３テンプレート画像データを用いて画像処理を実行する。第３テンプレート画像は、一定のパターンを備えるパターン画像であってもよい。パターン画像の例としては、複数の波線柄が連続する波線パターン、チェック柄が連続するチェックパターンなどがある。Ｃアプリケーション２８３で行われる画像処理では、必要とされる出力画像の数は、１つである。また、Ｃアプリケーション２８３は、多機能機１０が原稿をスキャンすることで得た画像データのみを出力画像データとして採用可能である。
【手続補正６】
【補正対象書類名】明細書
【補正対象項目名】００８３
【補正方法】変更
【補正の内容】
【００８３】
なお、ＣＰＵ２２は、ボタン画像データをコンテンツサーバ１００から受信するための情報を用いて、ボタン画像データをコンテンツサーバ１００から取得し、アプリケーション選択画面２１１を表示部１４に表示させる。従って、アプリケーション選択画面データには、ボタン画像Ｂ１１〜Ｂ１４の画像を表示するためのボタン画像データは含ませる必要がない。なお、ボタン画像データは、ビットマップ形式のビットマップ情報であってもよい。ユーザは、操作部１２を操作して、アプリケーション選択画面２１１の中から、所望するアプリケーションを表すボタン画像を選択する。